(57)【要約】【課題】  オーディオＩＣの消費電力がＣＰＵに比べて十分に小さい場合に、オーディオＩＣが対応していないデータ形式のコンテンツを再生する際の消費電力を低減させることができる携帯型コンテンツ再生装置を提供することを目的とする。【解決手段】  ユーザが、再生対象指定部９１を用いて、ＲＯＭ９内に保持されるコンテンツのいずれかを再生対象コンテンツとして指定する。オーディオＩＣ１０が、ＷＭＡ形式のコンテンツを再生し、ＣＰＵ９が、ＭＰ３形式のコンテンツをＷＭＡ形式に変換する。ＣＰＵ９は、オーディオＩＣ１０に比べて単位時間当たりの消費電力が多い。更に、オーディオＩＣ１０は、再生対象コンテンツがＷＭＡ形式である場合、ＲＯＭ８内の再生対象コンテンツを再生し、再生対象コンテンツがＭＰ３形式である場合、ＣＰＵ９によりＷＭＡ形式に変換された再生対象コンテンツを再生する。【選択図】  図４
2014002220.tif 000002
【特許請求の範囲】
【請求項１】
第１データ形式のコンテンツ及び第２データ形式のコンテンツを保持するコンテンツ記憶手段と、
ユーザが、上記コンテンツのいずれかを再生対象コンテンツとして指定する再生対象指定手段と、
第１データ形式の上記コンテンツを再生する再生専用回路と、
第２データ形式の上記コンテンツを第１データ形式に変換するプロセッサとを備え、
上記プロセッサは、上記再生専用回路に比べて、単位時間当たりの消費電力が多く、
上記再生専用回路は、上記再生対象コンテンツが第１データ形式である場合、上記コンテンツ記憶手段内に保持されている上記再生対象コンテンツを再生し、上記再生対象コンテンツが第２データ形式である場合、上記プロセッサにより第１データ形式に変換された上記再生対象コンテンツを再生することを特徴とする携帯型コンテンツ再生装置。
【請求項２】
上記プロセッサは、上記再生対象コンテンツ内を再生順に変換し、
上記再生専用回路は、上記再生対象コンテンツについて上記プロセッサによる変換が完了する前に、上記再生対象コンテンツの再生を開始することを特徴とする請求項１に記載の携帯型コンテンツ再生装置。
【請求項３】
上記再生対象指定手段を用いて、連続再生される第１再生対象コンテンツ及び第２再生対象コンテンツを指定することができ、
上記プロセッサは、第２再生対象コンテンツが第２データ形式である場合、第１再生対象コンテンツの再生中に、第２再生対象コンテンツについて上記プロセッサによる変換を開始することを特徴とする請求項１又は２に記載の携帯型コンテンツ再生装置。
【発明の詳細な説明】
【技術分野】
【０００１】
本発明は、携帯型コンテンツ再生装置に係り、更に詳しくは、２以上のデータ形式のコンテンツを再生可能な携帯型コンテンツ再生装置の改良に関する。
【背景技術】
【０００２】
携帯型コンテンツ再生装置のＣＰＵでは、高性能化が進んでおり、例えば、１つのプロセッサパッケージ内に２つのプロセッサコアが搭載されたデュアルコアや、４つのプロセッサコアが搭載されたクアッドコアなどが採用されている。このため、ＣＰＵの消費電力が増大し、ＣＰＵを用いて楽曲や動画などのコンテンツを再生した場合には、短時間で電池切れを起こし易いという問題があった。また、コンテンツの再生中には、ＣＰＵの処理負荷が増大するため、他の処理を行う際の処理速度が低下するという問題があった。
【０００３】
そこで、ＣＰＵとは別に消費電力の小さなオーディオＩＣを搭載し、このオーディオＩＣを用いてコンテンツを再生させることにより、コンテンツの再生時の消費電力を低減させるとともに、ＣＰＵの処理負荷を低減させることが考えられる。
【０００４】
このコンテンツファイルには、様々なデータ形式のものが利用されており、例えば、圧縮方式が異なるコンテンツファイルとして、ＷＭＡ（Windows Media Audio：Windows, WMAは登録商標）形式やＭＰ３（MPEG Audio Layer-3）形式の音声ファイルなどが知られている。
【０００５】
一方、オーディオＩＣとして小型なものは、１つのデータ形式にのみ対応可能なことが多い。例えば、ＷＭＡ形式に対応しているオーディオＩＣでは、ＭＰ３形式のコンテンツを再生することができない。この場合、オーディオＩＣが対応していないデータ形式のコンテンツについては、ＣＰＵを用いて再生する必要があることから、長時間の再生を行うことができないという問題があった。
【０００６】
このため、２以上のデータ形式に対応可能なオーディオＩＣを採用することも考えられる。しかしながら、この様なオーディオＩＣを採用した場合、携帯型コンテンツ再生装置が大型化し、高コストとなるという問題があった。
【先行技術文献】
【特許文献】
【０００７】
【特許文献１】特開２００１−１４２４７４号公報
【発明の概要】
【発明が解決しようとする課題】
【０００８】
特許文献１には、コンテンツの再生時のみ、ディジタルアナログコンバータへのクロック供給を行い、コンテンツを再生していないときには、ディジタルアナログコンバータへのクロック供給を停止させるディジタル再生装置が記載されている。
【０００９】
特許文献１に記載のディジタル再生装置では、コンテンツを再生していないときの消費電力を低減させることができるが、コンテンツの再生中における消費電力を低減させるものではない。
【００１０】
本発明は、上記の事情に鑑みてなされたものであり、オーディオＩＣの消費電力がＣＰＵに比べて十分に小さい場合に、オーディオＩＣが対応していないデータ形式のコンテンツを再生する際の消費電力を低減させることができる携帯型コンテンツ再生装置を提供することを目的とする。また、この様なコンテンツを再生する際のＣＰＵの処理負荷を低減させることができる携帯型コンテンツ再生装置を提供することを目的とする。
【課題を解決するための手段】
【００１１】
第１の本発明による携帯型コンテンツ再生装置は、第１データ形式のコンテンツ及び第２データ形式のコンテンツを保持するコンテンツ記憶手段と、ユーザが、上記コンテンツのいずれかを再生対象コンテンツとして指定する再生対象指定手段と、第１データ形式の上記コンテンツを再生する再生専用回路と、第２データ形式の上記コンテンツを第１データ形式に変換するプロセッサとを備え、上記プロセッサが、上記再生専用回路に比べて、単位時間当たりの消費電力が多く、上記再生専用回路が、上記再生対象コンテンツが第１データ形式である場合、上記コンテンツ記憶手段内に保持されている上記再生対象コンテンツを再生し、上記再生対象コンテンツが第２データ形式である場合、上記プロセッサにより第１データ形式に変換された上記再生対象コンテンツを再生するように構成される。
【００１２】
この様な構成によれば、再生専用回路が第２データ形式に対応していない場合に、プロセッサが第２データ形式のコンテンツを第１データ形式に変換し、変換後のコンテンツを再生専用回路によって再生することができる。このため、プロセッサがコンテンツを再生する場合に比べ、プロセッサの消費電力及び処理負荷を低減させることができる。また、再生専用回路の消費電力がプロセッサよりも十分に小さければ、携帯型コンテンツ再生装置全体の消費電力を低減させることができる。
【００１３】
第２の本発明による携帯型コンテンツ再生装置は、上記構成に加え、上記プロセッサが、上記再生対象コンテンツ内を再生順に変換し、上記再生専用回路が、上記再生対象コンテンツについて上記プロセッサによる変換が完了する前に、上記再生対象コンテンツの再生を開始するように構成される。
【００１４】
この様な構成によれば、データ形式の変換完了前にコンテンツの再生を開始させることができる。このため、第２データ形式のコンテンツを再生対象コンテンツとして指定した場合のユーザの待ち時間を短縮することができる。
【００１５】
第３の本発明による携帯型コンテンツ再生装置は、上記構成に加え、上記再生対象指定手段を用いて、連続再生される第１再生対象コンテンツ及び第２再生対象コンテンツを指定することができ、上記プロセッサが、第２再生対象コンテンツが第２データ形式である場合、第１再生対象コンテンツの再生中に、第２再生対象コンテンツについて上記プロセッサによる変換を開始するように構成される。
【００１６】
この様な構成によれば、第１再生対象コンテンツの再生中に、次に再生される第２再生対象コンテンツのデータ形式を変換することができる。このため、第２再生対象コンテンツの再生前にデータ形式を変換するための待ち時間が生じるのを抑制することができる。
【発明の効果】
【００１７】
本発明によれば、再生専用回路が第２データ形式に対応していない場合に、プロセッサが第２データ形式のコンテンツを第１データ形式に変換し、変換後のコンテンツを再生専用回路によって再生することができる。このため、プロセッサがコンテンツを再生する場合に比べ、プロセッサの消費電力及び処理負荷を低減させることができる。また、再生専用回路の消費電力がプロセッサよりも十分に小さければ、携帯型コンテンツ再生装置全体の消費電力を低減させることができる。
【００１８】
また、本発明によれば、第１再生対象コンテンツの再生中に、次に再生される第２再生対象コンテンツのデータ形式を変換することができる。このため、第２再生対象コンテンツの再生前にデータ形式を変換するための待ち時間が生じるのを抑制することができる。
【図面の簡単な説明】
【００１９】
【図１】本発明の実施の形態１による携帯型コンテンツ再生装置の一例を示した外観図である。
【図２】図１の携帯電話機１００の要部について内部構成の一例を示したブロック図である。
【図３】図２のＣＰＵ９内の機能構成の一例を示したブロック図である。
【図４】図１の携帯電話機１００によるコンテンツ再生処理の一例を示したフローチャートである。
【図５】ＭＰ３ファイルＡ１のデータ構造の一例を示す説明図である。
【図６】コンテンツ再生時のユーザの待ち時間を比較するためのタイムチャートである。
【発明を実施するための形態】
【００２０】
実施の形態１．
図１は、本発明の実施の形態１による携帯型コンテンツ再生装置の一例を示した外観図であり、携帯型コンテンツ再生装置の一例として携帯電話機１００が示されている。図中の（ａ）には、携帯電話機１００の前面が示され、（ｂ）には、背面が示されている。
【００２１】
携帯電話機１００は、略矩形の前面を有する薄型筐体からなり、この前面には、タッチパネル１、レシーバ２、マイクロフォン３及び操作キー４が配置され、その背面には、スピーカ５及びカメラ６が配置されている。
【００２２】
タッチパネル１は、筐体の前面に配置された表示面を備え、上記表示面上に画像を表示するとともに、上記表示面に対するユーザのタッチ操作を検出している。レシーバ２及びマイクロフォン３は、通話用の入出力装置である。また、操作キー４は、ユーザが操作入力を行うためのハードキーである。
【００２３】
スピーカ５は、筐体背面の上部に配置された音声の出力部であり、レシーバ２から出力される場合よりも音声を増幅して出力することができる。これにより、筐体から耳を離した状態であっても、音声を聞くことができる。カメラ６は、被写体を撮影し、撮影画像を出力する撮像素子である。
【００２４】
この携帯電話機１００では、コンテンツ再生における消費電力を低減させることにより、コンテンツを長時間再生することができる。
【００２５】
図２は、図１の携帯電話機１００の要部について内部構成の一例を示したブロック図である。この携帯電話機１００は、セルラー通信部７、タッチパネルセンサ１ａ、操作キー４、カメラ６、ＲＯＭ８、ＣＰＵ９、スピーカ５、オーディオＩＣ１０、ＲＡＭ１１、表示制御部１２及びタッチパネルディスプレイ１ｂにより構成される。
【００２６】
セルラー通信部７は、基地局と通信し、移動体回線網やインターネットといった通信ネットワークを介して他の通信端末との間で通話や電子メールの送受信を行うための送受信処理部である。タッチパネルセンサ１ａは、表示面に対するタッチ操作を検出し、タッチ操作の２次元位置を示す検出信号を出力する検出素子である。
【００２７】
ＲＯＭ（Read Only Memory）８は、異なるデータ形式の２以上のコンテンツファイルを保持するコンテンツ記憶手段であり、ここでは、ＭＰ３形式やＷＭＡ形式などの音声ファイルを保持するものとする。なお、フラッシュメモリ内にコンテンツファイルを保持する構成であっても良い。例えば、フラッシュメモリを含むＳＤカードなどの着脱可能なメモリカード内にコンテンツファイルを保持する構成であっても良い。
【００２８】
ＣＰＵ９は、ＲＯＭ８内に保持されるコンテンツの再生制御やデータ形式の変換などを行うプロセッサである。例えば、ユーザが再生対象コンテンツとしてＲＯＭ８内のＷＭＡ形式のコンテンツを指定した場合には、オーディオＩＣ１０へ再生対象コンテンツの再生を指示する制御信号を出力する。また、ユーザが再生対象コンテンツとしてＲＯＭ８内のＭＰ３形式のコンテンツを指定した場合には、この再生対象コンテンツをＷＭＡ形式に変換し、ＲＡＭ（Random Access Memory）１１へ格納する。ＲＡＭ１１は、ＷＭＡ形式のコンテンツファイルを一時記憶する記憶装置である。
【００２９】
オーディオＩＣ１０は、コンテンツを再生する再生専用回路であり、再生音をスピーカ５から出力させる。このオーディオＩＣ１０は、ＣＰＵ９と比べて単位時間当たりの消費電力が小さく、例えば、スピーカアンプ内に配置された音源チップからなる。また、携帯電話機１００において再生可能なコンテンツのうち、一部のデータ形式のコンテンツを再生可能であるが、残りのデータ形式には対応していない。ここでは、オーディオＩＣ１０が、ＷＭＡ形式のコンテンツを再生可能であるが、ＭＰ３形式には対応していないものとする。なお、オーディオＩＣ１０が、携帯電話機１００に備えられた外部出力端子に接続されたイヤホンなどを用いてコンテンツの再生音を出力する構成であっても良い。
【００３０】
また、オーディオＩＣ１０は、ＣＰＵ９の制御信号に基づいて、ＲＯＭ８からＷＭＡ形式の再生対象コンテンツを読み出して再生する。また、ＣＰＵ９によるデータ形式の変換が行われた場合には、データ形式の変換後の再生対象コンテンツをＲＡＭ１１から読み出して再生する。更に、２以上のコンテンツを連続して再生することもできる。表示制御部１２は、タッチパネルディスプレイ１ｂの表示制御を行う。
【００３１】
この様な構成を採用することにより、オーディオＩＣ１０がＭＰ３形式に対応していない場合に、ＣＰＵ９がＭＰ３形式のコンテンツをＷＭＡ形式に変換し、変換後のコンテンツをオーディオＩＣ１０によって再生することができる。この場合、コンテンツのデータ形式の変換処理に要する時間は、ＣＰＵ９によってコンテンツを再生すると仮定した場合の処理時間よりも大幅に短くなる。従って、オーディオＩＣ１０の消費電力を考慮しても、携帯電話機１００全体の消費電力を低減させることができる。また、コンテンツを再生する際のＣＰＵ９の処理負荷を低減させることができる。
【００３２】
図３は、図２のＣＰＵ９内の機能構成の一例を示したブロック図である。このＣＰＵ９は、再生対象指定部９１及びデータ形式変換部９２により構成される。再生対象指定部９１は、ＲＯＭ８内に保持されるコンテンツのうち、いずれかを再生対象コンテンツとして指定する指定手段であり、連続再生される再生対象コンテンツとして２以上のコンテンツを指定することができる。具体的には、タッチパネル１に対するユーザの操作入力に基づいて、いずれかのコンテンツを指定する。また、ＷＭＡ形式のコンテンツを再生対象コンテンツとして指定する場合には、当該コンテンツを再生することを指示する制御信号をオーディオＩＣ１０へ出力する。
【００３３】
データ形式変換部９２は、コンテンツのデータ形式の変換を行う変換手段である。例えば、ユーザが再生対象コンテンツとしてＲＯＭ８内のＭＰ３形式のコンテンツを指定した場合に、この再生対象コンテンツをＷＭＡ形式に変換し、ＲＡＭ１１へ格納する処理を行う。一方、ユーザが再生対象コンテンツとしてＲＯＭ８内のＷＭＡ形式のコンテンツを指定した場合には、データ形式の変換を行わない。
【００３４】
このデータ形式変換部９２は、ＭＰ３伸張処理部９２１及びＷＭＡ生成部９２２により構成される。ＭＰ３伸張処理部９２１は、再生対象指定部９１により指定されたＭＰ３ファイルの伸張処理を行い、ＰＣＭ（Pulse Code Modulation）データを生成するデコーダである。また、２以上の再生対象コンテンツが指定された場合に、次の再生対象コンテンツがＭＰ３形式であれば、オーディオＩＣ１０による再生対象コンテンツの再生中に次の再生対象コンテンツの伸張処理を開始する。
【００３５】
ＷＭＡ生成部９２２は、ＭＰ３伸張処理部９２１によって生成されたＰＣＭデータの圧縮処理を行い、ＷＭＡファイルを生成するエンコーダである。また、２以上の再生対象コンテンツが指定された場合には、オーディオＩＣ１０による再生対象コンテンツの再生中に次の再生対象コンテンツのＰＣＭデータの圧縮処理を開始する。
【００３６】
図４のステップＳ１０１〜Ｓ１０５は、図１の携帯電話機１００によるコンテンツ再生処理の一例を示したフローチャートである。この処理手順は、コンテンツの再生を指示するユーザの操作入力が行われたときに開始される。
【００３７】
まず、再生対象指定部９１が、再生対象コンテンツのデータ形式を判別する（ステップＳ１０１）。再生対象コンテンツがＷＭＡ形式であれば、ステップＳ１０４の処理に移る。一方、再生対象コンテンツがＭＰ３形式であれば、ＣＰＵ９のＭＰ３伸張処理部９２１が、このＭＰ３ファイルの伸張処理を行い、ＰＣＭデータを生成する（ステップＳ１０２）。更に、ＷＭＡ生成部９２２が、生成されたＰＣＭデータの圧縮処理を行い、ＷＭＡファイルを生成してＲＡＭ１１へ格納する（ステップＳ１０３）。また、オーディオＩＣ１０が、ＲＡＭ１１に格納されたＷＭＡ形式の再生対象コンテンツを再生し、再生音をスピーカ５から出力する（ステップＳ１０４）。更に、別の再生対象コンテンツが指定されているか否かを判別する（ステップＳ１０５）。別の再生対象コンテンツが指定されている場合には、ステップＳ１０１の処理に戻る。別の再生対象コンテンツが指定されていない場合には、処理を終了する。
【００３８】
本実施の形態によれば、オーディオＩＣ１０による再生対象コンテンツの再生中に、ＣＰＵ９が、次の再生対象コンテンツのデータ形式を変換することができる。このため、次の再生対象コンテンツの再生前にデータ形式を変換するための待ち時間が生じるのを抑制することができる。
【００３９】
実施の形態２．
実施の形態１では、ＣＰＵ９による再生対象コンテンツのデータ形式の変換完了後にオーディオＩＣ１０が再生対象コンテンツの再生を開始する場合の例について説明した。これに対し、本実施の形態では、再生対象コンテンツのデータ形式の変換完了前に再生対象コンテンツの再生を開始する構成について説明する。
【００４０】
ここでは、図２のオーディオＩＣ１０が、ＣＰＵ９による再生対象コンテンツのデータ形式の変換が完了する前に、この再生対象コンテンツの再生を開始するものとする。また、２以上のコンテンツを連続して再生することもできる。
【００４１】
また、図３のＭＰ３伸張処理部９２１が、ＭＰ３ファイルの伸張処理を行い、ＰＣＭデータを生成する。ＭＰ３ファイルでは、音声データを一定時間ごとに分割して圧縮データとして格納しているため、ＭＰ３伸張処理部９２１は、ＭＰ３ファイル内における再生順と一致するように、所定時間分の圧縮データごとに伸張処理を行う。
【００４２】
また、２以上の再生対象コンテンツが指定された場合に、次の再生対象コンテンツがＭＰ３形式であれば、オーディオＩＣ１０による再生対象コンテンツの再生中に次の再生対象コンテンツのＭＰ３ファイルの伸張処理を開始する。
【００４３】
更に、図３のＷＭＡ生成部９２２が、ＭＰ３伸張処理部９２１によって生成されたＰＣＭデータの圧縮処理を行い、ＷＭＡファイルを生成する。より詳しくは、ＭＰ３ファイル全体の伸張処理が完了する前に、このＭＰ３ファイルの伸張処理によって部分的に生成されたＰＣＭデータについてＷＭＡ形式による圧縮処理を開始し、再生順にＷＭＡファイルを順次生成する。
【００４４】
また、２以上の再生対象コンテンツが指定された場合には、オーディオＩＣ１０による再生対象コンテンツの再生中に、次の再生対象コンテンツのＰＣＭデータの圧縮処理を開始する。
【００４５】
図５は、ＭＰ３ファイルＡ１のデータ構造の一例を示す説明図である。ＭＰ３ファイルＡ１は、一定のデータ長となるように形成された多数のフレームから構成されている。この図では、ＭＰ３ファイルＡ１における先頭の３つのフレームＦ１〜Ｆ３を示し、他のフレームを省略している。フレームＦ１〜Ｆ３には、ヘッダＨ１〜Ｈ３、サイド情報Ｓ１〜Ｓ３及びメインデータＭＤ１〜ＭＤ３が格納されている。
【００４６】
ヘッダＨ１〜Ｈ３には、１秒当たりのデータサイズを示すビットレートや、１秒当たりのサンプリング回数を示すサンプリング周波数が記載されている。サイド情報Ｓ１〜Ｓ３には、メインデータＭＤ１〜ＭＤ３の開始位置などのメインデータＭＤ１〜ＭＤ３のデコードに必要な情報が記載されている。メインデータＭＤ１〜ＭＤ３には、一定時間分の音声データが圧縮データとしてそれぞれ格納されている。ＭＰ３形式の圧縮技術では、メインデータのデータ長を個別に調整することによって音質を向上させているため、メインデータＭＤ１〜ＭＤ３のデータ長はそれぞれ異なる。
【００４７】
ヘッダＨ１〜Ｈ３は、フレームＦ１〜Ｆ３の先頭位置にそれぞれ格納され、サイド情報Ｓ１〜Ｓ３は、ヘッダＨ１〜Ｈ３に後続する位置にそれぞれ格納されている。一方、メインデータＭＤ１〜ＭＤ３は、対応するフレームＦ１〜Ｆ３の先頭位置よりも前の位置に格納されることがある。図中では、メインデータＭＤ１は、対応するフレームＦ１内のサイド情報Ｓ１に後続する位置に格納されているが、メインデータＭＤ２は、対応するフレームＦ２内には格納されておらず、フレームＦ１内のメインデータＭＤ１に後続する位置に格納されている。また、メインデータＭＤ３は、データサイズが大きいため、フレームＦ２及びフレームＦ３の２つのフレームにわたって格納されている。
【００４８】
ＭＰ３ファイルＡ１では、メインデータＭＤ１〜ＭＤ３のデータ長が一定でないため、一定のデータ長を有するフレームＦ１〜Ｆ３との位置のずれが生じている。このメインデータＭＤ１〜ＭＤ３の開始位置は、対応するサイド情報Ｓ１〜Ｓ３にそれぞれ記載されているため、サイド情報Ｓ１〜Ｓ３を参照すれば、メインデータＭＤ１〜ＭＤ３を再生順にデコードすることができる。
【００４９】
図６は、コンテンツ再生時のユーザの待ち時間を比較するためのタイムチャートである。図６（ａ）は実施の形態１の携帯電話機の場合、図６（ｂ）は実施の形態２の携帯電話機の場合を示している。これらのタイムチャートは、２以上のＭＰ３形式のコンテンツの再生を指示するユーザ操作が行われたときに開始され、ＣＰＵ９によって第１及び第２の再生対象コンテンツがＷＭＡ形式に変換された後、オーディオＩＣ１０によって再生される場合の時間経過を示している。
【００５０】
図６（ａ）に示す実施の形態１では、ＣＰＵ９による第１の再生対象コンテンツのデータ形式の変換完了後、オーディオＩＣ１０による第１の再生対象コンテンツの再生が開始される。このため、ＣＰＵ９による第１の再生対象コンテンツのデータ形式の変換にかかる時間が、ユーザの待ち時間になる。一方、第２の再生対象コンテンツをＷＭＡ形式に変換する処理は、第１の再生対象コンテンツの再生中に完了するため、第２の再生対象コンテンツの再生開始時にはユーザの待ち時間が生じない。
【００５１】
図６（ｂ）に示す実施の形態２では、ＣＰＵ９による第１の再生対象コンテンツのデータ形式の変換中に、オーディオＩＣ１０による第１の再生対象コンテンツの再生が開始される。このため、実施の形態１に比べて、第１の再生対象コンテンツの再生開始時のユーザの待ち時間を短縮することができる。また、実施の形態１と同様に、第２の再生対象コンテンツの再生開始時にはユーザの待ち時間が生じない。
【００５２】
本実施の形態によれば、ＣＰＵ９によるデータ形式の変換完了前にオーディオＩＣ１０によるコンテンツの再生を開始させることができる。このため、ＭＰ３形式のコンテンツを再生対象コンテンツとして指定した場合のユーザの待ち時間を短縮することができる。
【００５３】
なお、実施の形態１及び２では、コンテンツファイルが音声ファイルからなる場合の例について説明した。しかしながら、本発明はこれに限定されない。例えば、コンテンツファイルが動画ファイルからなり、タッチパネルディスプレイ１ｂを用いてコンテンツを表示し、その再生音をスピーカ５から出力する構成であってもよい。
【００５４】
また、ＣＰＵ９によるコンテンツのデータ形式の変換前及び変換後に、ＣＰＵ９へのクロックの供給を停止させることにより、ＣＰＵ９の消費電力を低減させる構成であっても良い。また、ＣＰＵ９が、１つのプロセッサパッケージ内に２以上のプロセッサコアが搭載されたマルチコアからなり、ＣＰＵ９によるコンテンツのデータ形式の変換前及び変換後に、一部のプロセッサコアへのクロック供給又は電源供給を停止させる構成であっても良い。
【符号の説明】
【００５５】
１    タッチパネル
１ａ    タッチパネルセンサ
１ｂ    タッチパネルディスプレイ
２    レシーバ
３    マイクロフォン
４    操作キー
５    スピーカ
６    カメラ
７    セルラー通信部
１０    オーディオＩＣ
１２    表示制御部
９１    再生対象指定部
９２    データ形式変換部
１００    携帯電話機
９２１    ＭＰ３伸張処理部
９２２    ＷＭＡ生成部
Ｆ１〜Ｆ３    フレーム
Ｈ１〜Ｈ３    ヘッダ
ＭＤ１〜ＭＤ３    メインデータ
Ｓ１〜Ｓ３    サイド情報
【図１】
2014002220.tif 000003
【図２】
2014002220.tif 000004
【図３】
2014002220.tif 000005
【図４】
2014002220.tif 000006
【図５】
2014002220.tif 000007
【図６】
2014002220.tif 000008